(57)【要約】【課題】  安全性が向上した光源装置および該光源装置を用いた照明器具を提供する。【解決手段】  光源装置１は、互いに電気的に絶縁された２個の単位光源部２を有する。各単位光源部２は、それぞれ、交流電力を入力される一対の受電端子２１と、受電端子２１に入力された交流電力を直流電力に変換して出力する電源回路２２と、電源回路２２が出力した直流電力によって点灯する光源２０とを備える。また、光源装置１は、受電端子２１への入力電圧の実効値を検出する電圧検出回路２３を備える。電源回路２２は、電圧検出回路２３により検出された実効値が所定の正常範囲内にないとき、光源２０への直流電力の出力を停止させる。【選択図】図１
2015162455.tif 000002
【特許請求の範囲】
【請求項１】
互いに電気的に絶縁された２個の単位光源部を有し、
各単位光源部は、それぞれ、交流電力を入力される一対の受電端子と、前記受電端子に入力された前記交流電力を直流電力に変換して出力する電源回路と、前記電源回路が出力した直流電力によって点灯する光源とを備え、
各単位光源部において、前記電源回路は、前記受電端子に異常電圧が入力されたとき、前記光源への直流電力の出力を停止させることを特徴とする光源装置。
【請求項２】
各単位光源部は、それぞれ、前記受電端子に異常電圧が入力されたときに前記受電端子から前記電源回路への通電を停止させる保護回路を備えることを特徴とする請求項１記載の光源装置。
【請求項３】
各単位光源部は、それぞれ、前記受電端子への入力電圧の実効値を検出する電圧検出回路を備え、
各単位光源部において、前記電源回路は、前記電圧検出回路により検出された前記実効値が所定の正常範囲内にないとき、前記光源への直流電力の出力を停止させることを特徴とする請求項１または請求項２記載の光源装置。
【請求項４】
前記電圧検出回路により検出された前記実効値を前記正常範囲の上限値と比較する第１比較回路と、
前記電圧検出回路により検出された前記実効値を前記正常範囲の下限値と比較する第２比較回路と、
前記第１比較回路での比較結果と前記第２比較回路での比較結果とに応じて前記受電端子から前記電源回路への給電をオンオフするスイッチとを備え、
前記スイッチは、前記第１比較回路での比較において前記実効値が前記上限値以下であり、且つ、前記第２比較回路での比較において前記実効値が前記下限値以上である期間中にのみ、前記受電端子から前記電源回路への給電をオンすることを特徴とする請求項３記載の光源装置。
【請求項５】
請求項１〜請求項４のいずれか１項に記載の光源装置と、
前記光源装置が接続される器具本体とを備え、
前記器具本体は、外部の交流電源に電気的に接続される一対の電源端子と、一対ずつの前記受電端子が接続される２個のソケットとを備え、
２個の前記ソケットは、それぞれ、前記受電端子に一対一に接触導通する２個の給電端子を有し、
各前記ソケットにおいて、一方の前記給電端子は前記ソケット毎に異なる前記電源端子に電気的に接続され、他方の前記給電端子は前記ソケット間で互いに電気的に接続されていることを特徴とする照明器具。
【請求項６】
一方の前記電源端子と前記給電端子との間には磁気回路式安定器が電気的に接続されていることを特徴とする請求項５記載の照明器具。
【請求項７】
前記光源装置は２個の前記単位光源部の少なくとも前記電源回路と前記光源とがそれぞれ収納されたケースを有し、
一方の前記単位光源部の前記受電端子と他方の前記単位光源部の前記受電端子とは前記ケースから互いに逆向きに突出していて、
少なくとも一方の前記ソケットは、前記給電端子を収納した器体と、前記受電端子が挿通される端子挿通孔を有して前記器体に対し前記端子挿通孔の貫通方向に変位可能に連結されたプランジャと、前記プランジャを前記器体の外向きに押す復帰ばねとを備えることを特徴とする請求項５又は請求項６記載の照明器具。
【発明の詳細な説明】
【技術分野】
【０００１】
本発明は、光源装置および該光源装置を用いた照明器具に関するものである。
【背景技術】
【０００２】
従来、発光ダイオードを備える光源装置であって、直管型の蛍光灯を点灯させる器具本体に対し直管型の蛍光灯に置換して取付可能な光源装置が提供されている（例えば、特許文献１参照）。
【０００３】
直管型の蛍光灯は、円柱形状の管の両端部に、それぞれ口金を有する。各口金には一対ずつの端子ピンが設けられ、端子ピン間にはフィラメントが接続される。
【０００４】
上記の光源装置は、直管型の蛍光灯に準拠した寸法形状及び配置の２対の端子ピンと、一対の端子ピンから給電されて発光ダイオードを点灯させる少なくとも１個の電源回路とを備える。つまり、上記の電源回路は、蛍光灯の場合にフィラメントに入力される電力を用い、端子ピンが接続されるソケットを介して電圧が入力される。
【先行技術文献】
【特許文献】
【０００５】
【特許文献１】特開２０１３−４１６９６号公報
【発明の概要】
【発明が解決しようとする課題】
【０００６】
しかしながら、フィラメントに入力される電圧は、器具本体の回路構成によって異なる。
【０００７】
そして、光源装置の定格電圧よりも、接続された器具本体の出力電圧が高い場合、光源装置やソケットには過剰な電圧が入力されることになり、例えば電源回路に不具合が生じたり、ソケットの長期使用時の信頼性が低下するなどの恐れがある。
るから、異常発熱により寿命が短くなることが考えられる。
【０００８】
本発明は、上記事由に鑑みて為されたものであり、その目的は、安全性が向上した光源装置および該光源装置を用いた照明器具を提供することにある。
【課題を解決するための手段】
【０００９】
本発明の光源装置は、互いに電気的に絶縁された２個の単位光源部を有し、各単位光源部は、それぞれ、交流電力を入力される一対の受電端子と、前記受電端子に入力された前記交流電力を直流電力に変換して出力する電源回路と、前記電源回路が出力した直流電力によって点灯する光源とを備え、各単位光源部において、前記電源回路は、前記受電端子に異常電圧が入力されたとき、前記光源への直流電力の出力を停止させることを特徴とする。
【００１０】
上記の光源装置において、各単位光源部は、それぞれ、前記受電端子に異常電圧が入力されたときに前記受電端子から前記電源回路への通電を停止させる保護回路を備えることが望ましい。
【００１１】
上記の光源装置において、各単位光源部は、前記受電端子への入力電圧の実効値を検出する電圧検出回路を備え、各単位光源部において、前記電源回路は、前記電圧検出回路により検出された前記実効値が所定の正常範囲内にないとき、前記光源への直流電力の出力を停止させてもよい。
【００１２】
上記の光源装置において、前記電圧検出回路により検出された前記実効値を前記正常範囲の上限値と比較する第１比較回路と、前記電圧検出回路により検出された前記実効値を前記正常範囲の下限値と比較する第２比較回路と、前記第１比較回路での比較結果と前記第２比較回路での比較結果とに応じて前記受電端子から前記電源回路への給電をオンオフするスイッチとを備え、前記スイッチは、前記第１比較回路での比較において前記実効値が前記上限値以下であり、且つ、前記第２比較回路での比較において前記実効値が前記下限値以上である期間中にのみ、前記受電端子から前記電源回路への給電をオンしてもよい。
【００１３】
本発明の照明器具は、上記いずれかの光源装置と、前記光源装置が接続される器具本体とを備え、前記器具本体は、外部の交流電源に電気的に接続される一対の電源端子と、一対ずつの前記受電端子が接続される２個のソケットとを備え、２個の前記ソケットは、それぞれ、前記受電端子に一対一に接触導通する２個の給電端子を有し、各前記ソケットにおいて、一方の前記給電端子は前記ソケット毎に異なる前記電源端子に電気的に接続され、他方の前記給電端子は前記ソケット間で互いに電気的に接続されていてもよい。
【００１４】
上記の照明器具において、一方の前記電源端子と前記給電端子との間には磁気回路式安定器が電気的に接続されていてもよい。
【００１５】
上記の照明器具において、前記光源装置は２個の前記単位光源部の少なくとも前記電源回路と前記光源とがそれぞれ収納されたケースを有し、一方の前記単位光源部の前記受電端子と他方の前記単位光源部の前記受電端子とは前記ケースから互いに逆向きに突出していて、少なくとも一方の前記ソケットは、前記給電端子を収納した器体と、前記受電端子が挿通される端子挿通孔を有して前記器体に対し前記端子挿通孔の貫通方向に変位可能に連結されたプランジャと、前記プランジャを前記器体の外向きに押す復帰ばねとを備えてもよい。
【発明の効果】
【００１６】
本発明によれば、正常範囲外の電圧が入力されたときには光源への直流電力の入力が停止されるので、光源や電源回路において異常発熱が発生しにくく安全性が向上する。
【図面の簡単な説明】
【００１７】
【図１】本発明の実施形態に係る光源装置を示す回路ブロック図である。
【図２】上記の光源装置の外観を示す斜視図である。
【図３】本発明の実施形態に係る照明器具の外観を示す斜視図である。
【図４】上記の光源装置とソケットとを示す斜視図である。
【図５】上記のソケットを示す分解斜視図である。
【図６】上記の照明器具の概略構成を示す説明図である。
【図７】図６の器具本体の元となる器具本体の概略構成を示す説明図である。
【図８】上記の光源装置の光源が点灯しない接続形態の一例を示す説明図である。
【図９】上記の光源装置の光源が点灯しない接続形態の別の例を示す説明図である。
【図１０】磁気漏れ変圧器形の安定器を備える器具本体を示す回路図である。
【図１１】本発明の実施形態に係る光源装置の単位光源部の別の例を示す回路ブロック図である。
【図１２】本発明の実施形態に係る光源装置の単位光源部の更に別の例を示す回路ブロック図である。
【図１３】本発明の実施形態に係る光源装置の単位光源部の別の例を示す回路ブロック図である。
【図１４】本発明の実施形態に係る光源装置の別の例を示す回路ブロック図である。
【図１５】本発明の実施形態に係る光源装置の一例を示す断面図である。
【図１６】本発明の実施形態に係る光源装置の別の例を示す断面図である。
【図１７】図１６の例を示す、図１６とは異なる断面での断面図である。
【図１８】本発明の実施形態に係る光源装置の更に別の例を示す断面図である。
【図１９】図１８の例を示す、図１８とは異なる断面での断面図である。
【発明を実施するための形態】
【００１８】
本発明の光源装置１は、互いに電気的に絶縁された２個の単位光源部２を有する。各単位光源部２は、それぞれ、交流電力を入力される一対の受電端子２１と、受電端子２１に入力された交流電力を直流電力に変換して出力する電源回路２２と、電源回路２２が出力した直流電力によって点灯する光源２０とを備える。各単位光源部２において、電源回路２２は、受電端子２１に異常電圧が入力されたとき、光源２０への直流電力の出力を停止させる。
【００１９】
上記の光源装置において、各単位光源部２は、それぞれ、受電端子２１に異常電圧が入力されたときに受電端子２１から電源回路２２への通電を停止させる保護回路（スイッチ２４４、ヒューズ２７）を備えることが望ましい。
【００２０】
上記の光源装置１において、各単位光源部２は、受電端子２１への入力電圧の実効値を検出する電圧検出回路２３を備えてもよい。この場合、各単位光源部２において、電源回路２２は、電圧検出回路２３により検出された実効値が所定の正常範囲内にないとき、光源２０への直流電力の出力を停止させる。
【００２１】
上記の光源装置１において、第１比較回路２４１と、第２比較回路２４２と、第１比較回路２４１での比較結果と第２比較回路２４２での比較結果とに応じて受電端子２１から電源回路２２への給電をオンオフするスイッチ２４４とを備える。第１比較回路２４１は、電圧検出回路２３により検出された実効値を正常範囲の上限値と比較する。第２比較回路２４２は、電圧検出回路２３により検出された実効値を正常範囲の下限値と比較する。スイッチ２４４は、第１比較回路２４１での比較において実効値が上限値以下であり、且つ、第２比較回路２４２での比較において実効値が下限値以上である期間中にのみ、受電端子２１から電源回路２２への給電をオンしてもよい。
【００２２】
本発明の照明器具６は、上記いずれかの光源装置１と、前記光源装置１が接続される器具本体３とを備える。器具本体３は、外部の交流電源７に電気的に接続される一対の電源端子３１と、一対ずつの受電端子２１が接続される２個のソケット４とを備える。各ソケット４は、それぞれ、受電端子２１に一対一に接触導通する２個の給電端子４４を有する。各ソケット４において、一方の給電端子４４はソケット４毎に異なる電源端子３１に電気的に接続され、他方の給電端子４４はソケット４間で互いに電気的に接続されている。
【００２３】
上記の照明器具６において、一方の電源端子３１と給電端子４４との間には磁気回路式安定器３２が介装されていてもよい。
【００２４】
上記の照明器具６において、光源装置１は各単位光源部２の少なくとも電源回路２２と光源２０とがそれぞれ収納されたケース１１を有する。一方の単位光源部２の受電端子２１と他方の単位光源部２の受電端子２１とはケース１１から互いに逆向きに突出している。少なくとも一方のソケット４は、給電端子４４を収納した器体４０と、プランジャ４３と、プランジャ４３を器体４０の外向きに押す復帰ばね４４，４５とを備えてもよい。プランジャ４３は、受電端子２１が挿通される端子挿通孔４３０を有して器体４０に対し端子挿通孔４３０の貫通方向に変位可能に連結されている。
【００２５】
以下、本発明を実施するための最良の形態について、図面を参照しながら説明する。
【００２６】
図１に示すように、本実施形態の光源装置１は、互いに電気的に絶縁された２個の単位光源部２を有する。
【００２７】
各単位光源部２は、それぞれ、交流電力を入力される一対の受電端子２１と、受電端子２１に入力された交流電力を直流電力に変換して出力する電源回路２２と、電源回路２２が出力した直流電力によって点灯する光源２０とを備える。光源２０は例えば発光ダイオードアレイからなる。
【００２８】
電源回路２２は、例えば受電端子２１に入力された交流電流を全波整流するダイオードブリッジと、ダイオードブリッジの直流出力を平滑化するコンデンサと、このコンデンサを電源とする周知の直流電源回路とで実現することができる。
【００２９】
また、光源装置１は、図２に示すように、各単位光源部２の電源回路２２と光源２０とが収納された円柱形状のケース１１を備える。ケース１１の少なくとも一部は、光源２０の光を透過させるために、透光性を有する材料（例えばポリカーボネート）で構成されている。一方の単位光源部２の各受電端子２１は、それぞれ、ケース１１の一方の端面からケース１１の軸方向の外向きに突出している。また、他方の単位光源部２の各受電端子２１は、それぞれ、ケース１１の他方の端面からケース１１の軸方向の外向きに突出している。
【００３０】
さらに、２個の単位光源部２は互いに電気的に絶縁されている。具体的には例えば、ＩＥＣ６０４００やＪＩＳＣ−８１０５−１に規定された基礎絶縁相当１０００＋２Ｕ（Ｖ）の絶縁性が、２個の単位光源部２の間で確保されている。ここで、上記のＵは動作電圧である。各単位光源部２にそれぞれ受電端子２１を通じて入力される電圧の実効値が１００Ｖであるとすると、Ｕ＝１００Ｖであり、１０００＋２Ｕ（Ｖ）は１２００Ｖとなる。なお、２個の単位光源部２の間の絶縁性は、強化絶縁相当２０００＋４Ｕ（Ｖ）であってもよい。上記の絶縁性は、例えば、単位光源部２間の空間距離および沿面距離を十分に大きくすることや、両方の単位光源部２の近くに位置するケース１１などの部品の材料として電気抵抗が十分に大きなものを用いることで実現することができる。
【００３１】
上記の光源装置１は、図３に示すように、器具本体３に対して着脱自在に取り付けられ、器具本体３とともに照明器具６を構成する。
【００３２】
器具本体３は、それぞれ一対ずつの受電端子２１を接続される２個のソケット４と、各ソケット４がそれぞれ固定された直方体形状のハウジング５とを備える。
【００３３】
各ソケット４は、それぞれ、図４及び図５に示すように、１個ずつの受電端子２１に対し接触導通により電気的に接続される２個の給電端子４４と、給電端子４４を収納した器体４０とを備える。また、各ソケット４は、１個ずつの受電端子２１が挿通される２個の端子挿通孔４３０を有するプランジャ４３を備える。プランジャ４３は、器体４０に対し、端子挿通孔４３０が貫通した方向に変位可能となるように結合している。各給電端子４４は、それぞれ、器体４０内において、端子挿通孔４３０に挿通された受電端子２１に接触導通する位置に固定されている。
【００３４】
以下、図５でのＡＢＣＤＥＦ方向を上下左右前後方向と呼び、ソケット４について詳しく説明する。つまり、端子挿通孔４３０の貫通方向を前後方向と呼び、前後方向のうち端子挿通孔４３０から受電端子２１が抜かれるときの受電端子２１の変位方向を前方向と呼ぶ。また、端子挿通孔４３０が並ぶ方向を左右方向と呼ぶ。
【００３５】
器体４０は、各給電端子４４をそれぞれ収納した収納凹部４１０が前側に開口したベース４１と、プランジャ４３が挿通される円形状の挿通孔４２０を有してベース４１の前側に被着されるカバー４２とを備える。ベース４１とカバー４２とはそれぞれ例えば樹脂からなる。ベース４１に対してカバー４２を結合させる手段としては、嵌合や接着やねじ止めなどの周知の手段を適宜用いることができる。
【００３６】
プランジャ４３は例えば樹脂からなり、軸方向を前後方向に向けてカバー４２の挿通孔４２０に挿通される円柱形状の本体部４３１を有する。各端子挿通孔４３０はそれぞれ本体部４３１を軸方向に貫通している。プランジャ４３は、本体部４３１の外周面がカバー４２の挿通孔４２０の内周面にガイドされることで、器体４０に対して前後方向に変位可能となっている。また、プランジャ４３の後端部の外周面には、鍔部４３２が径方向の外向きに突設されている。鍔部４３２は挿通孔４２０に挿通不可能な寸法形状とされており、鍔部４３２がカバー４２の後側に位置することで、器体４０の前方へのプランジャ４３の脱落が防止されている。
【００３７】
各給電端子４４は、それぞれ例えば金属のような導電材料からなる板ばねであって、上端部をベース４１の収納凹部４１０内に固定されている。各給電端子４４は、それぞれ、上端部に対して下端部を前後に変位させるように弾性変形可能となっている。また、各給電端子４４の下端部は、それぞれ１個ずつの端子挿通孔４３０の後側に位置する。つまり、端子挿通孔４３０に挿入された受電端子２１は給電端子４４の下端部に接触導通する。さらに、各給電端子４４の下端部と収納凹部４１０の内底面との間には、それぞれコイルばね４５が軸方向を前後方向に向けて配置されている。すなわち、コイルばね４５のばね力により、給電端子４４の下端部が前方へ押されるから、受電端子２１に対する給電端子４４の接触圧が確保される。また、各給電端子４４は下端がプランジャ４３の後面に弾性的に接触しており、各給電端子４４や各コイルばね４５のばね力はプランジャ４３を前方（つまり外側）へ押し戻す復帰力としても作用する。つまり、各給電端子４４と各コイルばね４５とが、それぞれ、プランジャ４３を器体４０の外向きに押す復帰ばねを構成している。
【００３８】
２個のソケット４は、前面同士を互いに向い合せて、ハウジング５の長手方向の一端部ずつに固定される。ハウジング５に対するソケット４の固定は、例えば、ソケット４の器体４０の左右両側面の上端部に設けられた溝４６に、ハウジング５の一部が嵌め込まれることで達成される。また、２個のソケット４間の距離は、プランジャ４３の前面間の距離が光源装置１のケース１１の長さ程度となるような距離とされる。
【００３９】
器具本体３に光源装置１を接続する際には、一対の受電端子２１をそれぞれ一方のソケット４の端子挿通孔４３０に挿入しながら、上記一方のソケット４のプランジャ４３を押し込む。ソケット４において挿通孔４２０の内径は光源装置１のケース１１の外径よりも大きくされており、上記のようにプランジャ４３を押し込むことでケース１１の一端部をソケット４に収納することができる。上記のようにケース１１の一端部を一方のソケット４に収納した状態で、ケース１１の他端側の一対の受電端子２１をそれぞれ他方のソケット４の端子挿通孔４３０に挿入し、光源装置１から手を離す。すると、押し込まれていたプランジャ４３が、給電端子４４やコイルばね４５のばね力により復帰する。すると、プランジャ４３間の距離とケース１１の長さ寸法との差が受電端子２１の突出寸法よりも小さくなることで、各ソケット４からの受電端子２１の脱落が防止され、ここにおいて器具本体３に対する光源装置１の接続が完了する。上記のようなプランジャ４３を有するソケット４を用いれば、光源装置１のケース１１の長さのばらつきや熱膨張による変動などをプランジャ４３の変位量によって吸収することができる。
【００４０】
なお、器具本体３において一方のソケット４のみがプランジャ４３を有する場合であっても、プランジャ４３を有するソケット４に先に受電端子２１を接続することで、光源装置１を接続することが可能である。
【００４１】
ここで、本実施形態の光源装置１では、ケース１１の一端側の一対の受電端子２１と、ケース１１の他端側の一対の受電端子２１とが、互いに異なる単位光源部２に含まれている。また、既に述べたように、２個の単位光源部２の間には十分な絶縁性が確保されている。従って、上記のように光源装置１を器具本体３に接続する過程で、一方の単位光源部２の各受電端子２１がそれぞれ給電端子４４に接触した状態で、作業者が他方の単位光源部２の受電端子２１のいずれかに接触したとしても、作業者が感電するおそれはない。
【００４２】
また、器具本体３は、図６に示すように、外部の交流電源７に電気的に接続される一対の電源端子３１を備える。各ソケット４の給電端子４４のうち、一方の給電端子４４は一方ずつの電源端子３１に電気的に接続され、他方の給電端子４４はソケット４間で互いに電気的に接続されている。上記のような電気的な接続は、例えばハウジング５内に引き回される電線（図示せず）によって達成される。上記のような接続により、２個の単位光源部２の電源回路２２は電源端子３１間に互いに直列に接続される。各電源回路２２の入力インピーダンスは互いに等しくされており、上記の接続により、各電源回路２２への入力電圧はそれぞれ交流電源７の電圧の約５０％になる。
【００４３】
ここで、光源装置１は、一般的な直管型の蛍光灯の規格（例えば、Ｇ１３口金を有するものや、Ｒ１７ｄ口金を有するもの）に準拠した寸法形状とされている。図６のような器具本体３は、例えば、図７に示すように磁気回路式安定器３２と点灯管３３とを備える器具本体３から磁気回路式安定器３２と点灯管３３とを取り外して短絡させることで実現される。上記の磁気回路式安定器３２は、銅鉄式安定器とも呼ばれるものであり、一方のソケット４の一方の給電端子４４と一方の電源端子３１との間に電気的に接続されている。また、点灯管３３は、上記一方のソケット４の他方の給電端子４４と他方のソケット４の一方の給電端子４４との間に接続されている。点灯管３３の短絡は、例えば、電球型の点灯管３３が取り付けられるソケット（図示せず）に、点灯管３３と同様の口金を有する短絡用の素子（図示せず）を点灯管３３に代えて取り付けることで実現される。なお、磁気回路式安定器３２については取り外さなくとも光源２０を点灯可能な場合もあるが、無駄な電力消費や発熱を避けるためには磁気回路式安定器３２も取り外されて短絡されることが望ましい。
【００４４】
さらに、各単位光源部２は、それぞれ、受電端子２１への入力電圧の実効値（以下、単に「入力電圧」と呼ぶ。）Ｖｉｎを検出する電圧検出回路２３を備える。各単位光源部２において、電源回路２２は、電圧検出回路２３により検出された入力電圧Ｖｉｎが所定の正常範囲内にないとき（つまり受電端子２１に異常電圧が入力されているとき）、光源２０への直流電力の出力を停止させる。これにより、光源２０や電源回路２２における異常発熱が抑えられ、安全性が向上する。
【００４５】
上記の正常範囲は、例えば所定の上限値よりも低い範囲とされる。光源装置１が図６のような器具本体３に接続されること、つまり、２個の単位光源部２が交流電源７に対して互いに直列に接続して用いられることが想定されている場合、上記の上限値は例えば交流電源７の電圧の実効値（例えば１００Ｖ）とされる。この場合、図８や図９の例のように入力電圧Ｖｉｎが交流電源７の電圧に一致するような器具本体３に接続されたときには、電源回路２２が出力を停止するから、光源２０は点灯しない。
【００４６】
また、上記の正常範囲に下限値を設けてもよい。すなわち、上記の正常範囲は、所定の上限値よりも低く且つ所定の下限値よりも高い範囲となる。
【００４７】
ところで、図１０に示すように、直管型の蛍光灯８が接続される器具本体３としては、磁気漏れ変圧器形の安定器３４を備えるものがある。上記の安定器３４は、一次巻線３４１が電源端子３１に接続されたトランスの二次巻線（予熱巻線）３４２に誘導された電流を蛍光灯８の各フィラメント８１に流すことで各フィラメント８１の予熱を行うものである。このような器具本体３に光源装置１が接続された場合は安定器３４で電圧降下が発生するために、入力電圧Ｖｉｎは交流電源７の電圧の５０％よりも低くなる場合もある。従って、上記の正常範囲に適宜の下限値を設けた場合、図１０のような器具本体３に接続された場合に光源２０が点灯しないようにすることができる。
【００４８】
また、図１１〜図１３に示すように、入力電圧Ｖｉｎを正常範囲の上限値と比較する第１比較回路２４１や、入力電圧Ｖｉｎを正常範囲の下限値と比較する第２比較回路２４２を、電源回路２２とは別途に設けてもよい。すなわち、図１１の例や図１２の例では、第１比較回路２４１での比較の結果、入力電圧Ｖｉｎが正常範囲の上限値を上回っていた場合、電源回路２２は光源２０への直流電力の出力を停止する。また、図１２の例では、第２比較回路２４２での比較の結果、入力電圧Ｖｉｎが正常範囲の下限値を下回っていた場合にも、電源回路２２は光源２０への直流電力の出力を停止する。
【００４９】
また、図１３の例は、第１比較回路２４１の出力と第２比較回路２４２の出力とが入力される論理積回路２４３と、論理積回路２４３の出力により駆動される保護回路としてのスイッチ２４４とを備える。さらに、図１３の例での第１比較回路２４１は、入力電圧Ｖｉｎが正常範囲の上限値以下であるときに出力をＨレベルとし、入力電圧Ｖｉｎが正常範囲の上限値を上回っているときに出力をＬレベルとする。また、図１３の例での第２比較回路２４２は、入力電圧Ｖｉｎが正常範囲の下限値以上であるときに出力をＨレベルとし、入力電圧Ｖｉｎが正常範囲の下限値を下回っているときに出力をＬレベルとする。スイッチ２４４は論理積回路２４３の出力がＨレベルである期間にのみオンされる。すなわち、入力電圧Ｖｉｎが正常範囲内にあるときのみ論理積回路２４３の出力がＨレベルとなることでスイッチ２４４がオンされて電源回路２２から光源２０に直流電力が出力される。また、入力電圧Ｖｉｎが正常範囲外であるときは、論理積回路２４３の出力がＬレベルとなることでスイッチ２４４がオフされる。これにより、受電端子２１から電源回路２２への通電が停止されるから、電源回路２２から光源２０への直流電力の出力が停止される。また、図１３の例のように電源回路２２の前段にスイッチ２４４のような保護回路を設け且つ正常範囲に下限値を設ければ、器具本体３において定電力制御が行われ且つ入力電圧Ｖｉｎが低い場合に電源回路２２に過剰な電流が入力されることを防ぐことができる。
【００５０】
ここで、図１や図１１〜図１３では電圧検出回路２３は電源回路２２の前段に接続されているが、電源回路２２が整流回路や該整流回路の出力を平滑化する平滑コンデンサを有する場合、電圧検出回路２３は整流回路や平滑コンデンサの後段に接続されてもよい。
【００５１】
または、電圧検出回路２３を設ける代わりに、図１４に示すようにバリスタ２６を受電端子２１間に（つまり電源回路２２に対して並列に）接続してもよい。図１４の例では、バリスタ２６と一方の受電端子２１との間に保護回路としてのヒューズ２７が接続されている。図１４の例では、受電端子２１への入力電圧Ｖｉｎがバリスタ２６のバリスタ電圧よりも高い異常電圧となったとき、バリスタ２６に電流が流れてヒューズ２７が溶断する。すると、受電端子２１から電源回路２２への通電が停止されることで、電源回路２２から光源２０への直流電力の入力も停止される。なお、ヒューズ２７は両方の受電端子２１についてそれぞれ設けられていてもよい。
【００５２】
また、光源装置１の構造に関し、２個の単位光源部２は、図１５〜図１７に示すように別々のプリント配線板２５に実装されていてもよいし、図１８に示すように互いに共通のプリント配線板２５に実装されていてもよい。図１８のように２個の単位光源部２が１個のプリント配線板２５に実装される場合であっても、導電部間の距離を適切に確保することで、単位光源部２間の絶縁を確保することができる。
【００５３】
また、１個ずつの単位光源部２が実装された２個のプリント配線板２５は、図１５の例のように光源２０が実装された面を互いに同じ方向に向けてもよいし、図１６及び図１７の例のように光源２０が実装された面を互いに逆向きとしてもよい。図１６及び図１７のように光源２０が実装された面を互いに逆向きとした場合、光源装置１のケース１１をほぼ全周にわたって発光させることが可能となる。
【００５４】
さらに、単位光源部２において光源２０以外の回路部品（電源回路２２を構成する回路部品など）は、光源２０と同じ面に実装されてもよいし、図１９のように光源２０が実装された面の反対面に実装されてもよい。
【符号の説明】
【００５５】
１  光源装置
２  単位光源部
３  器具本体
４  ソケット
６  照明器具
２０  光源
２１  受電端子
２２  電源回路
２３  電圧検出回路
２７  ヒューズ（保護回路）
３１  電源端子
３２  磁気回路式安定器
４０  器体
４３  プランジャ
４４  給電端子（復帰ばねを兼ねる）
４５  コイルばね（復帰ばね）
２４１  第１比較回路
２４２  第２比較回路
２４４  スイッチ（保護回路）
Ｖｉｎ  入力電圧の実効値
【図１】
2015162455.tif 000003
【図２】
2015162455.tif 000004
【図３】
2015162455.tif 000005
【図４】
2015162455.tif 000006
【図５】
2015162455.tif 000007
【図６】
2015162455.tif 000008
【図７】
2015162455.tif 000009
【図８】
2015162455.tif 000010
【図９】
2015162455.tif 000011
【図１０】
2015162455.tif 000012
【図１１】
2015162455.tif 000013
【図１２】
2015162455.tif 000014
【図１３】
2015162455.tif 000015
【図１４】
2015162455.tif 000016
【図１５】
2015162455.tif 000017
【図１６】
2015162455.tif 000018
【図１７】
2015162455.tif 000019
【図１８】
2015162455.tif 000020
【図１９】
2015162455.tif 000021